(57)【要約】【課題】  販売促進の対象が実際にユーザーによって試供されたか否かを知ることができ、その試供の程度を確認できるとともに、販売促進性を高めることのできる販促媒体およびこれを用いた販売促進装置を提供する。【解決手段】  懸賞付ＣＤ１１に記録された楽曲にシークレット情報となるチャイム音を記録しておき、ユーザー３が楽曲を再生（試供）することでシークレット情報を入手できるようにする。このことにより、懸賞の付加によってユーザー３に試供を喚起することができ、ユーザー３に試供に基づく懸賞として金券相当のクーポンを発行することができる。【選択図】        図１
2005196501.tif 000002
【特許請求の範囲】
【請求項１】
配布可能な記録体であって販促情報を記録するとともに、前記販促情報を再生することにより認知されるシークレットデータと、前記記録体を識別し、前記シークレットデータとともに懸賞の応募に用いられる識別データとを有することを特徴とする販促媒体。
【請求項２】
前記識別データは、前記記録体を収容する包装に付与されていることを特徴とする請求項１記載の販促媒体。
【請求項３】
前記販促情報は、販売促進する楽曲であることを特徴とする請求項１記載の販促媒体。
【請求項４】
前記シークレットデータは、前記記録体に記録された複数の前記販促情報に個々に付与されている要素を結合することにより構成されることを特徴とする請求項１記載の販促媒体。
【請求項５】
配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体と、
前記シークレットデータおよび前記識別データを前記懸賞の応募情報として通信回線を介して送信する端末部と、
前記通信回線を介して前記応募情報を受信すると、前記販促情報についての質問項目を前記端末部に送信し、前記質問項目について正解が得られたときに前記通信回線を介して前記端末部に懸賞情報を送信するホストコンピュータからなることを特徴とする販売促進装置。
【請求項６】
前記ホストコンピュータは、前記販促情報に係る前記懸賞の応募期間データを格納した期間情報記憶部と、
前記販促情報に係る前記懸賞について複数の質問事項を記憶した質問項目記憶部と、
前記応募期間データに基づいて懸賞応募期間中に前記販促情報に係る前記懸賞の応募があったとき、前記質問項目記憶部から前記応募情報に基づいてランダムに少なくとも１つの質問を抽出する制御部とを有することを特徴とする請求項５記載の販売促進装置。
【請求項７】
前記ホストコンピュータは、前記質問項目について正解の回答があったとき、前記懸賞情報として前記端末部に金券相当のクーポンデータを送信することを特徴とする請求項５記載の販売促進装置。
【請求項８】
通信回線を介して入手可能に設けられる前記販促情報を再生することによって認知されるシークレットデータと、前記販促情報を識別し、前記シークレットデータとともに懸賞の応募に用いられる識別データとを有する販促情報公開部と、
前記シークレットデータおよび前記識別データを前記懸賞の応募情報として前記通信回線を介して送信する端末部と、
前記通信回線を介して前記応募情報を受信すると、前記販促情報についての質問項目を前記端末部に送信し、前記質問項目について正解が得られたときに前記通信回線を介して前記端末部に懸賞情報を送信するホストコンピュータからなることを特徴とする販売促進装置。
【発明の詳細な説明】
【技術分野】
【０００１】
本発明は、文字、画像、音声等の情報を収容した販促媒体およびこれを用いた販売促進装置に関し、特に、販売促進の対象が実際にユーザーによって試供されたか否かを知ることができ、その試供の程度を確認できるとともに、販売促進性を高めることのできる販促媒体およびこれを用いた販売促進装置に関する。
【背景技術】
【０００２】
従来、商品の購入に結び付く可能性を高める販売促進（以下「販促」という。）活動の方法として、印刷物等の宣伝媒体を郵便等でユーザーに頒布するものがあり、代表的なものとしてダイレクトメール（ＤＭ）が知られている。
【０００３】
しかし、ＤＭは郵送や人手による頒布に多大な手間を有するという問題がある。このため、近年ではインターネット等の通信サービスを利用した販促方法が提案されている。
【０００４】
係る販促方法として、特定の商品を購入した人が上記した通信サービスを利用して応募することのできるクローズド・キャンペーンを行うキャンペーン実施システムが提案されている（例えば、特許文献１参照。）。
【０００５】
特許文献１に記載されたキャンペーン実施システムは、商品を一意に識別するＩＤ番号を菓子の内箱や飲料の缶等に隠蔽して付与し、隠蔽部分を擦り落したり覆いを取り除くことでＩＤ番号を入手したユーザーが、パソコンや携帯電話等の情報端末を用いてキャンペーンサーバにアクセスし、ＩＤ番号を入力することに基づいて懸賞を得ることができるものである。
【０００６】
この方法によると、販促対象商品に付加価値を付けることで販促性を高めることができ、かつ、キャンペーンの実施に係る手間を軽減できる。
【特許文献１】特開２００３−３１６９９２号公報（図１）
【発明の開示】
【発明が解決しようとする課題】
【０００７】
しかし、特許文献１に記載された方法によると、以下の問題がある。
（１）入手したＩＤ番号に基づいてキャンペーンに参加すると、当該ＩＤ番号は無効となって再使用することはできないため、多くのユーザーに販促対象商品の使用、観賞等の行為（以下、「試供」という。）を喚起するには相応の販促対象商品を用意する必要があり、キャンペーンにかかるコストが大になるという問題がある。
（２）販促対象商品の使用、観賞等の行為を経なくとも容易にＩＤ番号を入手できてしまうため、販促対象商品がユーザーに実際に試供されたか否かをキャンペーンの実施者は知ることができないという問題がある。
【０００８】
従って、本発明は、第１の目的として販促対象について多くのユーザーに試供を喚起させることができ、試供したユーザーに付加価値を与えることのできる販促媒体を提供することにある。
【０００９】
また、本発明は、第２の目的として販促対象が実際にユーザーによって試供されたか否かを知ることができ、また、その試供の程度を確認することができ、かつ、販促性を高めることのできる販売促進装置を提供することにある。
【課題を解決するための手段】
【００１０】
本発明は、上記の目的を達成するため、配布可能な記録体であって販促情報を記録するとともに、前記販促情報を再生することにより認知されるシークレットデータと、前記販促情報および前記シークレットデータを記録した前記記録体を識別するとともに懸賞の応募に用いられる識別データとを有することを特徴とする販促媒体を提供する。
【００１１】
前記識別データは、前記記録体を収容する包装に付与しても良く、懸賞の応募に必要な情報を容易に付与することができる。
【００１２】
前記販促情報は、販売促進する楽曲であっても良い。アーティストが発表する新曲等を対象として販売促進を実施することができる。
【００１３】
前記シークレットデータは、前記記録体に記録された複数の前記販促情報に個々に付与されている要素を結合することにより構成されても良い。不正な方法で販促に伴う懸賞にアクセスしようとする行為を排除することができる。
【００１４】
また、本発明は、上記の目的を達成するため、配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体と、
前記シークレットデータおよび前記識別データを前記懸賞の応募情報として通信回線を介して送信する端末部と、
前記通信回線を介して前記応募情報を受信すると、前記販促情報についての質問項目を前記端末部に送信し、前記質問項目について正解が得られたときに前記通信回線を介して前記端末部に懸賞情報を送信するホストコンピュータからなることを特徴とする販売促進装置を提供する。
【００１５】
前記ホストコンピュータは、前記販促情報に係る前記懸賞の応募期間データを格納した期間情報記憶部と、前記販促情報に係る前記懸賞について複数の質問事項を記憶した質問項目記憶部と、前記応募期間データに基づいて懸賞応募期間中に前記販促情報に係る前記懸賞の応募があったとき、前記質問項目記憶部から前記応募情報に基づいてランダムに少なくとも１つの質問を抽出する制御部とを有する構成とすることが好ましい。懸賞の応募期間を限定し、応募の要件を満たした場合について懸賞が得られることで、懸賞の不正な獲得を防げる。
【００１６】
前記ホストコンピュータは、前記質問項目について正解の回答があったとき、前記懸賞情報として前記端末部に金券相当のクーポンデータを送信することができる。金券相当の懸賞を提供することで、ユーザーの懸賞参加意欲を喚起し、そのために必要な販促情報の試供を促すことができる。
【００１７】
また、本発明は、上記の目的を達成するため、通信回線を介して入手可能に設けられる前記販促情報を再生することによって認知されるシークレットデータと、前記販促情報を識別し、前記シークレットデータとともに懸賞の応募に用いられる識別データとを有する販促情報公開部と、
前記シークレットデータおよび前記識別データを前記懸賞の応募情報として前記通信回線を介して送信する端末部と、
前記通信回線を介して前記応募情報を受信すると、前記販促情報についての質問項目を前記端末部に送信し、前記質問項目について正解が得られたときに前記通信回線を介して前記端末部に懸賞情報を送信するホストコンピュータからなることを特徴とする販売促進装置を提供する。
【発明の効果】
【００１８】
本発明の販促媒体によれば、配布可能な記録体に販促情報を記録するとともに、販促情報の再生によって認知されるシークレットデータと、記録体を識別するとともに懸賞の応募に用いられる識別データとを有するようにしたため、多くのユーザーに販促対象の試供を喚起させることができ、ユーザーは試供に基づいて付加価値を得ることができる。
【００１９】
また、本発明の販売促進装置によれば、販促情報を記録するとともに、販促情報の再生によって認知されるシークレットデータと、記録体を識別するとともに懸賞の応募に用いられる識別データとを有する配布可能な販促媒体を使用し、販促媒体に含まれるシークレットデータおよび識別データを懸賞の応募情報として端末部から通信回線を介して送信すると、ホストコンピュータから販促情報についての質問項目が送信され、この質問項目に正解することで懸賞情報が送信されるようにしたため、販促対象が実際にユーザーによって試供されたか否かを知ることができ、また、その試供の程度を確認することができ、かつ、販促性を高めることができる。
【００２０】
また、本発明の販売促進装置によれば、販促情報公開部から入手した販促情報の再生によって認知されるシークレットデータと、販促情報を識別するとともに懸賞の応募に用いられる識別データとを懸賞の応募情報として端末部から通信回線を介して送信すると、ホストコンピュータから販促情報についての質問項目が送信され、この質問項目に正解することで懸賞情報が送信されるようにしたため、販促対象が実際にユーザーによって試供されたか否かを知ることができ、また、その試供の程度を確認することができ、かつ、販促性を高めることができる。
【発明を実施するための最良の形態】
【００２１】
図１は、本発明の第１の実施の形態に係る販売促進装置の全体構成図である。この販売促進装置１は、ホストコンピュータ２と、ユーザー３とホストコンピュータ２とのデータ通信が可能な端末装置３０と、店舗４とホストコンピュータ２とのデータ通信が可能な端末装置４０と、店舗５とホストコンピュータ２とのデータ通信が可能な端末装置５０と、ホストコンピュータ２と端末装置３０とを接続してユーザー送信情報３Ａおよび懸賞情報２Ａを伝送する通信回線６と、ホストコンピュータ２と端末装置４０とを接続して照会情報４Ａおよび照合情報２Ｂを伝送する通信回線７と、ホストコンピュータ２と端末装置５０とを接続して照会情報５Ａおよび照合情報２Ｃを伝送する通信回線７とを有する。店舗４は、キャンペーンの期間においてレコード会社から販促品として配布を依頼された懸賞付ＣＤ１１をユーザー３に配布する。
【００２２】
端末装置３０は、懸賞付ＣＤ１１に付与されているシリアル番号をデータ入力し、ユーザー送信情報３Ａとして送信するとともに、ホストコンピュータ２から送信される懸賞情報２Ａを受信可能なコンピュータであり、ハードディスク（ＨＤＤ）、メモリ、マザーボード、ＣＰＵ等の機器を収容した本体部にキーボード、マウス、プリンタ、ディスプレイ等の周辺機器が接続された構成を有する。また、端末装置３０は、インターネット等の通信ネットワークに接続する信号変換装置であるモデムを介して本体部を通信回線７に接続されている。なお、端末装置４０についても端末装置３０と同一の構成を有し、モデムを介して本体部を通信回線７に接続されている。
【００２３】
図２は、ホストコンピュータの概略構成図である。ホストコンピュータ２は、通信回線６および７を接続するためのインターフェース部２１と、懸賞付ＣＤ１１に基づく懸賞の応募に必要な種々のデータを格納したメモリ２２と、懸賞付ＣＤ１１毎のシリアル番号および記録されているシークレット情報についてのデータ、懸賞に応募したユーザー数等の種々のデータを格納したデータベース２３と、懸賞としてユーザー３に送信するクーポンの画像を格納する画像格納部２４と、端末装置４０、５０から通信回線７を介して入力する照会情報４Ａ、５Ａに基づいて情報の有効性を照合する照合部２５と、各部を制御する主制御部２６をバス２７を介して接続して構成されており、更に、図示しない通信回線を介して懸賞付ＣＤ１１の配布に基づく販促活動を行うレコード会社に販促活動に係るデータを送信するようになっている。
【００２４】
インターフェース部２１は、通信回線６および７を介して他の端末装置等とホストコンピュータ２との間におけるデータ入出力を制御する。
【００２５】
メモリ２２は、懸賞としてユーザー３に送信するクーポンの額面データを記憶するとともに、懸賞付ＣＤ１１に付与されているシリアル番号を記憶するシリアル番号記憶部２２０と、懸賞付ＣＤ１１に記録されているシークレット情報を記憶するシークレット情報記憶部２２１と、懸賞への応募時にユーザー３にホストコンピュータ２から質問する質問項目を記憶する質問項目記憶部２２２と、ユーザー３が懸賞に応募することのできる期間を記憶する期間情報記憶部２２３とを有して構成されている。
【００２６】
データベース２３は、懸賞付ＣＤ１１のシリアル番号に対するシークレット情報についてのデータと、ユーザーが懸賞に応募するために販促活動を行うレコード会社によって作成されたｗｅｂページのデータと、懸賞に参加したユーザー３の参加数について統計化した統計データを格納している。
【００２７】
画像格納部２４は、ユーザー送信情報３Ａや照会情報４Ａ、５Ａの入力に対して端末装置３０、４０、および５０のディスプレイに表示させる画像を格納している。例えば、ユーザー送信情報３Ａがホストコンピュータ２に入力したときは、入力中である旨の画像を端末装置３０に送信してディスプレイに表示させる。また、照会情報４Ａがホストコンピュータ２に入力したときは、照会中である旨の画像を端末装置４０に送信してディスプレイに表示させる。
【００２８】
照合部２５は、ユーザー送信情報３Ａおよび照会情報４Ａ、５Ａとして入力されるシリアル番号や、シークレット情報の照合を行い、照合結果を出力する。
【００２９】
主制御部２６は、各部の制御を行うとともに、メモリ２２から額面データを入力し、更に画像格納部２４から背景等の画像を入力することによってクーポン画像を生成し、このクーポン画像を懸賞情報２Ａとしてユーザー３の端末装置３０に送信する処理を行う。
【００３０】
図３は、懸賞付ＣＤの構成を示す図であり、（ａ）は全体図、（ｂ）はメディアに記録された楽曲データの構成を示す概略図である。この懸賞付ＣＤ１１は、図３（ａ）に示すようにレコード会社が新曲を発表するアーティストの楽曲を記録したメディア１１０と、メディア１１０を格納する包装であるパッケージ１１２とを有する。この懸賞付ＣＤ１１は、販促活動を実施するレコード会社の販促活動費によって所定の枚数（例えば、１万枚）が製造される。
【００３１】
メディア１１０は、表面に広告や印字が付された印字部１１０Ａと、印字部１１０Ａに印字されたアルバム名１１０Ｂと、印字部１１０Ａの裏面に設けられてレーザ光によって楽曲等の光記録再生処理が行われるデータ記録部１１０Ｃが設けられている。
【００３２】
データ記録部１１０Ｃは、図３（ｂ）に示すように、楽曲毎に設けられる複数のトラックＴ１〜Ｔ１０によって構成されており、同図においては１０楽曲が記録された構成を示している。また、トラックＴ３には、楽曲データに加えて楽曲とは異なるチャイム音データ１２０が記録されており、懸賞付ＣＤ１１を再生すると楽曲中の所定の位置でチャイム音が再生される。このチャイム音がどの楽曲で何回鳴ったかが懸賞に応募するためのシークレット情報となる。
【００３３】
パッケージ１１２は、例えば、厚紙によって形成されており、その表面にはメディア１１０の印字部１１０Ａに印字されたものと同様のアルバム名１１２Ａと、懸賞付ＣＤ１１を個々に特定するためのシリアル番号１１２Ｂとが印刷されている。なお、本実施の形態においてはシリアル番号１１２Ｂは英字、数字、および記号からなる８桁の文字列で構成されている。
【００３４】
また、パッケージ１１２には、ユーザーが懸賞に応募するためのｗｅｂページのアドレスと、懸賞の応募するにあたっての手順等を示した図示しない説明書きが付与されている。
【００３５】
図４は、懸賞の応募時に端末装置のディスプレイに表示される表示画像を示す図である。ユーザー３は、入手した懸賞付ＣＤ１１のシリアル番号１１２Ｂと、懸賞付ＣＤ１１を再生することによって認知されるシークレット情報とを懸賞の応募情報として、端末装置３０を操作することによって上記したｗｅｂページのアドレスにアクセスし、画面表示される説明に従って所定の操作を行うことにより、図４（ａ）〜（ｂ）に示す表示画面が端末装置３０のディスプレイ３１の画像表示部３２に表示される。
【００３６】
図４（ａ）は、懸賞の応募情報を入力するための入力画面を示す図である。端末装置３０は、ディスプレイ３１の画像表示部３２にシリアル番号を入力するシリアル番号入力部３３０と、チャイム音データ１２０が含まれる曲目とその回数からなる２桁の文字列をシークレット情報として入力するシークレット情報入力部３３１と、送信ボタン３３４を含む表示画像３３を表示する。ユーザー３は、端末装置３０を操作してシリアル番号入力部３３０およびシークレット情報入力部３３１に文字列３３２、３３３を入力する。
【００３７】
図４（ｂ）は、応募情報を送信中の表示画像を示す図である。図４（ａ）において送信ボタン３３４を押すと、端末装置３０は、ユーザー送信情報３Ａとして通信回線６を介してホストコンピュータ２に懸賞の応募情報を送信する。このとき、ディスプレイ３１の画像表示部３２には「応募情報を入力しています」という表示画像３４が表示される。
【００３８】
図５は、応募情報を入力されたホストコンピュータの処理を示す図である。ホストコンピュータ２は、端末装置３０から送信された応募情報が正しいときは、質問項目記録部２２２に記録されている複数の質問項目２２４からランダムに２つの質問項目を抽出し、質問項目２２４Ａ、２２４Ｂとして端末装置３０に送信する。質問項目記録部２２２は、懸賞付ＣＤ１１に含まれる複数の楽曲にちなんだ複数の質問項目を格納しており、各質問項目は、懸賞付ＣＤ１１を聞くことによって回答することのできる内容で作成されている。
【００３９】
図６は、質問項目に基づいて端末装置のディスプレイに表示される表示画像を示す図である。端末装置３０は、ホストコンピュータ２から送信された質問項目に基づく表示画像３５を画像表示部３２に表示する。ユーザー３は、表示画像３５に従って所定の操作を行うことにより、図６（ａ）〜（ｂ）に示す表示画面がディスプレイ３１の画像表示部３２に表示される。
【００４０】
図６（ａ）は、ユーザーに対する質問を表示する表示画像を示す図である。端末装置３０は、ホストコンピュータ２から送信された２つの質問項目２２４Ａ、２２４Ｂを含む表示画像３５をディスプレイ３１の画像表示部３２に表示する。ここでは、質問２２４Ａとして「Ａ−３曲目に登場する女性がいつも買い物をしていた場所は？」と、質問２２４Ｂとして「Ｂ−アルバムのテーマとなっている国はどこか？」とが表示されており、その回答欄３５０Ａ、３５０Ｂとが表示されている。
【００４１】
図６（ｂ）は、質問項目に正解したときの表示画像を示す図である。端末装置３０は、図６（ａ）の回答欄３５０Ａ、３５０Ｂに入力された回答を通信回線６を介してホストコンピュータ２に送信する。ホストコンピュータ２は、回答が正解であるとき、懸賞としてクーポン画像３６０と、シリアル番号３６１とを含む表示画像３６のデータを端末装置３０に送信する。なお、ここで表示されるシリアル番号３６１は、懸賞付ＣＤ１１に付与されたシリアル番号１１２Ｂと同一のものである。端末装置３０は、ディスプレイ３１の画像表示部３２にホストコンピュータ２から送信された表示画像３６を表示する。
【００４２】
図７は、質問項目に対する回答が不正解のときの表示画像を示す図である。ホストコンピュータ２は、端末装置３０から送信された回答が不正解であるとき、不正解表示３７０を含む表示画像３７のデータを端末装置３０に送信する。端末装置３０は、ディスプレイ３１の画像表示部３２にホストコンピュータ２から送信された表示画像３７を表示する。
【００４３】
図８は、懸賞の応募期間が終了しているときの表示画像を示す図である。ホストコンピュータ２は、端末装置３０から応募情報が送信されたときに応募期間が終了しているとき、懸賞終了表示３８０を含む表示画像３８のデータを端末装置３０に送信する。端末装置３０は、ディスプレイ３１の画像表示部３２にホストコンピュータ２から送信された表示画像３８を表示する。
【００４４】
図９は、応募情報が誤っているときの表示画像を示す図である。ホストコンピュータ２は、端末装置３０から送信された応募情報が正しくないとき、誤入力表示３９０を含む表示画像３９のデータを端末装置３０に送信する。端末装置３０は、ディスプレイ３１の画像表示部３２にホストコンピュータ２から送信された表示画像３８を表示する。
【００４５】
図１０は、第１の実施の形態の販売促進装置１の動作を示すフローチャートである。以下に、上記した販売促進装置１について、懸賞付ＣＤ１１を配布し、ユーザー３がクーポンを得るまでの流れについて説明する。
【００４６】
まず、懸賞付ＣＤ１１を配布する店舗４は、在庫している懸賞付ＣＤ１１のシリアル番号をホストコンピュータ２に登録する。店舗４の店員は、端末装置４０を操作して通信回線７を介してシリアル番号をホストコンピュータ２に送信する。ホストコンピュータ２は、メモリ２２のシリアル番号記憶部２２０に店舗４から受信したシリアル番号を登録し、登録が完了すると通信回線７を介して登録完了情報を店舗４に送信する。
【００４７】
次に、店舗４の店員は、販促品として懸賞付ＣＤ１１を配布し、ユーザー３はこれを入手する（Ｓ１）。店舗４の店員は、懸賞付ＣＤ１１の配布後に端末装置４０を操作して通信回線７を介して配布した懸賞付ＣＤ１１のシリアル番号をホストコンピュータ２に送信する。ホストコンピュータ２は、受信したシリアル番号に基づいて該当する懸賞付ＣＤ１１のデータに配布済みである旨のデータを追加してシリアル番号記憶部２２０に格納されているデータを更新する。
【００４８】
次に、ユーザー３は、入手した懸賞付ＣＤ１１を開封する。このとき、懸賞付ＣＤ１１にパッケージ１１２に付されたシリアル番号１１２Ｂが認識される（Ｓ２）。
【００４９】
次に、ユーザー３は、パッケージ１１２からメディア１１０を取り出し、ＣＤプレーヤー等で再生する（Ｓ３）。メディア１１０を再生すると、所定の位置で楽曲中に記録されているチャイム音データが再生される。ユーザー３は、チャイム音が何曲目で何回再生されたかをシークレット情報として把握しておく（Ｓ４）。
【００５０】
次に、ユーザー３は、端末装置３０を操作して懸賞に応募するためのｗｅｂページにアクセスする（Ｓ５）。ここで、懸賞の応募期間中であれば（Ｓ６）、端末装置３０のディスプレイ３１に表示される図４（ａ）に示す表示画像３３に基づいて応募情報を入力する。すなわち、シリアル番号入力部３３０にシリアル番号を構成する８桁の文字列３３２を入力し、シークレット情報入力部３３１にシークレット情報を構成する２桁の文字列３３３を入力する。ここで入力するシークレット情報の２桁の文字数は、１０の桁が何曲目であり、１の桁が回数である。例えば、３曲目で２回のチャイム音が確認できたときは「３２」となる。ユーザー３は、応募情報を入力後に送信ボタン３３４を押すことによって、通信回線６を介してホストコンピュータ２に応募情報が送信される。このとき、端末装置３０のディスプレイ３１には図４（ｂ）に示す表示画像３４が表示される。
【００５１】
次に、ホストコンピュータ２は、照合部２５に端末装置３０から入力された応募情報についてデータベース２３に格納されているシリアル番号に対するシークレット情報のデータを照合させる。また、データベース２３の懸賞参加者データをカウントアップする。
【００５２】
次に、ホストコンピュータ２は、端末装置３０から送信された応募情報が正しいとき（Ｓ７）、主制御部２６は、質問項目記憶部２２２に格納されている複数の質問項目からランダムに２つの質問項目を抽出して画像データを形成し、端末装置３０に質問項目を含む画像データを送信する（Ｓ８）。端末装置３０は、ホストコンピュータ２から送信された画像データを入力すると、図６（ａ）に示す表示画像３６をディスプレイ３１の画像表示部３２に表示する。ユーザー３は、表示画像３６の回答欄３５０Ａ、３５０Ｂに質問項目に応じた回答を入力し、送信ボタン３５１を押すことによってホストコンピュータ２に回答を送信する。
【００５３】
ホストコンピュータ２は、端末装置３０から送信された回答が正しいとき（Ｓ９）、端末装置３０にクーポン画像３６０を含む画像データを送信する（Ｓ１０）。端末装置３０は、ホストコンピュータ２から送信された画像データを入力すると、図６（ｂ）に示す表示画像３６をディスプレイ３１の画像表示部３２に表示する。
【００５４】
次に、ユーザー３は、端末装置３０を操作して表示画像３６をＨＤＤに格納する。次に、図示しないプリンタから表示画像３６を印刷することによりクーポン画像３６０のプリントアウトが得られる。このプリントアウトは、予め定められた店舗４および５で物品購入時に金額相当のクーポンとして使用することができる。
【００５５】
また、ユーザー３がｗｅｂページにアクセスしたときに、既に懸賞の応募期間を過ぎていた場合には、ホストコンピュータ２は、端末装置３０に図８に示す表示画像３８の画像データを送信する。端末装置３０は、ホストコンピュータ２から送信された画像データに基づいてディスプレイ３１の画像表示部３２に表示画像３８を表示する（Ｓ１１）。
【００５６】
また、ユーザー３がｗｅｂページに対して入力した応募情報が誤っていたときには、ホストコンピュータ２は、端末装置３０に図９に示す表示画像３９の画像データを送信する。端末装置３０は、ホストコンピュータ２から送信された画像データに基づいてディスプレイ３１の画像表示部３２に表示画像３９を表示する（Ｓ１２）。
【００５７】
また、ユーザー３が質問項目に対して入力した回答が不正解のときには、ホストコンピュータ２は、端末装置３０に図７に示す表示画像３７の画像データを送信する。端末装置３０は、ホストコンピュータ２から送信された画像データに基づいてディスプレイ３１の画像表示部３２に表示画像３７を表示する（Ｓ１３）。ユーザー３は、端末装置３０を操作して再度懸賞の応募をすることができる（Ｓ１４）。
【００５８】
次に、ユーザー３が店舗４および５で上記したクーポンを使用するときの流れについて説明する。
【００５９】
ユーザー３は、クーポン画像３６０をプリントアウトしたクーポンを持参して店舗５に行き、所望の買い物をした後の会計時に店員にクーポンを提示する。
【００６０】
店舗５の店員は、ユーザー３から提示されたクーポンに付記されているシリアル番号３６１の文字列情報を端末装置４０を操作して入力し、通信回線７を介して照会情報５Ａとしてホストコンピュータ２に送信する。ホストコンピュータ２は、受信したシリアル番号のデータに基づいて照合部２５にシリアル番号の照合を行わせる。照合部２５は、メモリ２２のシリアル番号記憶部２２０に予め格納されている懸賞付ＣＤ１１のシリアル番号と、受信したシリアル番号との照合を行い、当該懸賞付ＣＤ１１のシリアル番号に基づいてクーポンが正規に発行されていることを確認するとともに、当該クーポンの引き換えが行われた旨のデータを追加してシリアル番号記憶部２２０に格納されているデータを更新し、照合情報２Ｃとして端末装置４０に送信する。
【００６１】
上記した第１の実施の形態の販売促進装置１によると、以下の効果が得られる。
（１）懸賞付ＣＤ１１に記録された楽曲にシークレット情報となるチャイム音を記録しておき、ユーザー３が楽曲を再生（試供）することでシークレット情報を入手できるようにしたため、懸賞の付加によってユーザー３に試供を喚起することができ、ユーザー３に試供に基づく懸賞として金券相当のクーポンを発行することができる。
（２）ユーザー３による試供の程度を懸賞付ＣＤ１１のシリアル番号とシークレット情報からなる応募情報の入力に基づいてホストコンピュータ２で把握できるため、販促活動の主催者がマーケットリサーチを容易に行うことができる。
（３）懸賞付ＣＤ１１のシリアル番号とシークレット情報についての入力に基づく応募資格の設定、およびクーポンの発行をホストコンピュータ２で一元的に管理するため、クーポンの偽造発行等の不正行為を排除することができる。
（４）懸賞に応募できる期間を限定するようにしたため、例えば、新譜の発表前にマーケットリサーチを行うといった迅速性が要求される場合に、付加価値として懸賞を付与したＣＤを配布することにより試供を喚起でき、ユーザー３の反応を効率良くリサーチできる。また、クーポンに係るコストについては当該期間に応募のあったシリアル番号を有する懸賞付ＣＤ１１を対象として計算することが可能となり、ＣＤの作成時にクーポン分の費用を加算することによるコスト増加を生じない。なお、一度発行されたクーポンについては応募期間に関係なく店舗４、５にて使用することができる。
【００６２】
なお、上記した販売促進装置１は、懸賞付メディアとしての懸賞付ＣＤ１１をユーザー３に配布する販売促進方法を説明したが、配布する記録媒体については容易に配布できる形態のものであればＣＤに限定されず、ＤＶＤ、フロッピィディスク、スマートメディア等の可搬性および管理性の良好な種々の記録媒体を用いることができる。
【００６３】
また、ユーザー３の端末装置３０についても、パソコン等のコンピュータに限定されず、携帯電話、ＦＡＸ、携帯情報端末等の所定の情報処理能力を有し、通信回線を介してデータの送受信が可能な機器であれば良い。例えば、携帯電話を用いる場合、懸賞データ画像をメモリに格納しておき、店舗４および５で商品やサービスを購入する際に携帯電話を操作して店員に懸賞データ画像を見せるようにすれば、クーポン画像３６０の印刷を不要にできる。
【００６４】
また、端末装置３０とホストコンピュータ２との通信についても、ホームページにアクセスして応募情報等を入力する形態に限定されず、端末装置３０から指定された電子メールアドレスに電子メールで応募情報等を送信し、ホストコンピュータ２側から懸賞データ画像が返信されるようにしても良い。
【００６５】
また、通信回線６，７についても、アナログモデムを利用したアナログ回線の他に、ＡＤＳＬモデムを利用したＡＤＳＬ回線や、ターミナルアダプタを利用したデジタル回線であっても良い。また、通信回線の一部が無線によって構築されているものでも良い。
【００６６】
また、懸賞付ＣＤ１１の提供方法についても、キャンペーンの実施者がユーザー３に無償で配布する他に、店舗４および５で有償で販売するようにしても良い。
【００６７】
また、懸賞付ＣＤ１１に記録するデータとして、上記した楽曲の他に、文字、画像、音楽等からなるコンテンツや、サンプルムービーであっても良い。この場合、シークレット情報はコンテンツ中に文字の色を変えて含ませたり、サンプルムービー中に数値や記号を瞬間的に表示させる等の方法で記録することができる。
【００６８】
また、ユーザー３が取得したクーポンは、懸賞付ＣＤ１１を配布して販促活動を行うレコード会社、出版社、映画会社等が販売する商品やサービスを購入する際のみ使用できるように規定しても良い。
【００６９】
また、ホストコンピュータ２が懸賞情報２Ａとして送信するクーポン画像３６０は、季節や、暦に応じた背景の画像とクーポンの額面画像とを組み合わせて生成するようにしても良い。例えば、クリスマスや節分といった種々のテーマの背景画像を用意しておき、時期に応じて選択的に組み合わせるようにしても良い。
【００７０】
また、上記した販売促進装置１によれば、懸賞の応募期間中であれば、同一のシリアル番号およびシークレット情報で懸賞の応募を再度行うことが可能である。すなわち、ユーザー３から応募情報がホストコンピュータ２に送信されると、主制御部２６はメモリ２２の質問項目記憶部２２２からランダムに２つの質問を抽出することから、同一の質問が抽出される確率が低くなり、質問の回答のみを得てクーポンを不正に獲得することが困難になる。
【００７１】
このため、ユーザー３が懸賞に応募したあとに他のユーザーに懸賞付ＣＤ１１を渡すことによって、販促対象を他のユーザーにも試供してもらうことができ、かつ、そのユーザーも懸賞に応募することができる。
【００７２】
また、上記した第１の実施の形態では、懸賞付ＣＤ１１に記録されるデータ中に応募情報をあわせて記録するものとしたが、楽曲等のデータとは別に応募情報を記録するようにしても良い。具体的には、楽曲の記録領域より後に独立して音声メッセージ形式で応募情報を記録することも可能である。
【００７３】
図１１は、メディアのデータ記録部における他の構成を示す図である。このデータ記録部１１０Ｃでは、トラックＴ１〜Ｔ１０にそれぞれチャイム音データ１２０を記録しており、各トラックにおいてその数を変えたものとしている。この場合、シークレット情報はトラックＴ１〜Ｔ１０にそれぞれ記録されたチャイム音データ１２０の数を要素とし、これらの要素を結合することによって構成される１０桁の数字列（１３２２１３１１１３）からなる。このようなシークレット情報の構成とすることで、販促対象の楽曲すべてについてユーザー３に試供してもらうことを促せる。
【００７４】
また、上記した第１の実施の形態では、販促媒体としての懸賞付ＣＤ１１を配布する形態の販促活動を説明したが、懸賞付ＣＤ１１に依存せずにｗｅｂページから楽曲のデータを配信する形態としても良い。
【００７５】
図１２は、本発明の第２の実施の形態に係る販売促進装置の動作を示すフローチャートである。なお、第１の実施の形態と同じプロセスを有する部分については同一のステップ番号（Ｓ）で示しており、第２の実施の形態において異なる部分についてを以下に説明する。また、販売促進装置については第１の実施の形態で説明したものと同一の構成を使用する。
【００７６】
第２の実施の形態では、販促情報の公開部として、音楽配信サイトから配信される楽曲に懸賞を付加したものであり、ユーザー３は、端末装置３０を操作して音楽配信サイトにアクセスし（Ｓ２１）、販促対象となっている懸賞付楽曲を端末装置３０にダウンロードする（Ｓ２２）。懸賞付楽曲は、音楽配信サイトにシリアル番号によって管理されており、ユーザー３はシリアル番号を指定してダウンロードを行う。
【００７７】
次に、ユーザー３は、端末装置３０でダウンロードした懸賞付楽曲を再生する（Ｓ３）ことによって楽曲中に含まれるシークレット情報を入手する。以下の手順は第１の実施の形態と同様である。
【００７８】
上記した第２の実施の形態によれば、販促媒体を配布するといった手間を要することなく販促活動を行うことができ、販促性に優れるとともに、販促情報である楽曲に懸賞を付加することでユーザー３の試供を喚起することができる。なお、音楽配信サイトは、ホストコンピュータ２を配信源とするように構成されていても良い。
【図面の簡単な説明】
【００７９】
【図１】本発明の第１の実施の形態に係る販売促進装置の全体構成図である。
【図２】第１の実施の形態に係るホストコンピュータの概略構成図である。
【図３】第１の実施の形態に係る懸賞付ＣＤの構成を示す図であり、（ａ）は全体図、（ｂ）はメディアに記録された楽曲データの構成を示す概略図である。
【図４】懸賞の応募時に端末装置のディスプレイに表示される表示画像を示す図であり、（ａ）は、懸賞の応募情報を入力するための入力画面を示す図、（ｂ）は、応募情報を送信中の表示画像を示す図である。
【図５】応募情報を入力されたホストコンピュータの処理を示す図である。
【図６】質問項目に基づいて端末装置のディスプレイに表示される表示画像を示す図であり、（ａ）はユーザーに対する質問を表示する表示画像を示す図、（ｂ）は質問項目に正解したときの表示画像を示す図である。
【図７】質問項目に対する回答が不正解のときの表示画像を示す図である。
【図８】懸賞の応募期間が終了しているときの表示画像を示す図である。
【図９】応募情報が誤っているときの表示画像を示す図である。
【図１０】第１の実施の形態の販売促進装置の動作を示すフローチャートである。
【図１１】メディアのデータ記録部における他の構成を示す図である。
【図１２】第２の実施の形態の販売促進装置の動作を示すフローチャートである。
【符号の説明】
【００８０】
１、販売促進装置  ２、ホストコンピュータ  ２Ａ、懸賞情報
２Ｂ、照合情報  ２Ｃ、照合情報  ３、ユーザー  ３Ａ、ユーザー送信情報
４、店舗  ４Ａ、照会情報  ５、店舗  ５Ａ、照会情報
６，７、通信回線  １１、懸賞付ＣＤ  ２１、インターフェース部
２２、メモリ２３、データベース  ２４、画像格納部  ２５、照合部
２６、主制御部  ２７、バス  ３０、端末装置  ３１、ディスプレイ
３２、画像表示部  ３３、表示画像  ３４、表示画像  ３５、表示画像
３６、表示画像  ３７、表示画像  ３８、表示画像  ３９、表示画像
４０、端末装置  ５０、端末装置  １１０、メディア
１１０Ａ、印字部  １１０Ｂ、アルバム名  １１０Ｃ、データ記録部
１１２、パッケージ  １１２Ａ、アルバム名  １１２Ｂ、シリアル番号
１２０、チャイム音データ  ２２０、シリアル番号記憶部
２２１、シークレット情報記憶部  ２２２、質問項目記憶部
２２２、質問項目記録部  ２２３、期間情報記憶部
２２４Ａ、質問  ２２４Ｂ、質問  ２２４、質問項目  ２２４Ａ、質問項目
３３０、シリアル番号入力部  ３３１、シークレット情報入力部
３３２、文字列  ３３３、文字列  ３３４、送信ボタン
３５０Ａ，３５０Ａ、回答欄  ３５１、送信ボタン  ３６０、クーポン画像
３６１、シリアル番号  ３７０、不正解表示  ３８０、懸賞終了表示
３９０、誤入力表示  Ｔ１〜Ｔ１０、トラック
【図１】
2005196501.tif 000003
【図２】
2005196501.tif 000004
【図３】
2005196501.tif 000005
【図４】
2005196501.tif 000006
【図５】
2005196501.tif 000007
【図６】
2005196501.tif 000008
【図７】
2005196501.tif 000009
【図８】
2005196501.tif 000010
【図９】
2005196501.tif 000011
【図１０】
2005196501.tif 000012
【図１１】
2005196501.tif 000013
【図１２】
2005196501.tif 000014
【手続補正書】
【提出日】平成16年5月10日(2004.5.10)
【手続補正１】
【補正対象書類名】特許請求の範囲
【補正対象項目名】全文
【補正方法】変更
【補正の内容】
【特許請求の範囲】
【請求項１】
配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体をユーザーに提供する販促媒体提供過程と、
前記ユーザーの操作により前記シークレットデータおよび前記識別データを前記懸賞の応募情報として端末部から通信回線を介してホストコンピュータへ送信する応募情報送信過程と、
ホストコンピュータにおいて所定の懸賞応募期間の経過前に前記応募情報が受信され且つ前記応募情報が有効であると判定された場合に、前記通信回線を介して前記端末部に懸賞情報を送信する懸賞情報送信過程とから構成される、販売促進システム。
【請求項２】
前記懸賞情報送信過程は、ホストコンピュータにおいて所定の懸賞応募期間の経過前に前記応募情報が受信され且つ前記応募情報が有効であると判定された場合に、前記販促情報についての質問項目を前記端末部に送信し、前記質問項目について正解が得られたときに前記通信回線を介して前記端末部に前記懸賞情報を送信するように実行される、請求項１に記載の販売促進システム。
【請求項３】
前記販促情報は、販売促進する楽曲である、請求項１に記載の販売促進システム。
【請求項４】
前記シークレットデータは、前記記録体に記録された複数の前記販促情報に個々に付与されている要素を結合することにより構成される、請求項１に記載の販売促進システム。
【請求項５】
配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体と、
前記シークレットデータおよび前記識別データを前記懸賞の応募情報として通信回線を介してホストコンピュータへ送信する端末部と、
所定の懸賞応募期間の経過前に前記応募情報が受信され且つ前記応募情報が有効であると判定された場合に、前記通信回線を介して前記端末部に懸賞情報を送信する前記ホストコンピュータとから構成される、販売促進装置。
【請求項６】
前記ホストコンピュータは、前記販促情報に係る前記懸賞の応募期間データを格納した期間情報記憶部と、
前記販促情報に係る前記懸賞について複数の質問事項を記憶した質問項目記憶部と、
前記応募期間データに基づいて懸賞応募期間中に前記販促情報に係る前記懸賞の応募があったとき、前記質問項目記憶部から前記応募情報に基づいてランダムに少なくとも１つの質問項目を抽出する制御部とを有し、
前記ホストコンピュータは、前記抽出された質問項目を前記端末部に送信し、前記質問項目について正解が得られたときに前記通信回線を介して前記端末部に懸賞情報を送信する、請求項５に記載の販売促進装置。
【請求項７】
前記ホストコンピュータは、前記質問項目について正解の回答があったとき、前記懸賞情報として前記端末部に金券相当のクーポンデータを送信する、請求項６に記載の販売促進装置。
【請求項８】
通信回線を介して入手可能に設けられる販促情報を再生することによって認知されるシークレットデータと、前記販促情報を識別し、前記シークレットデータとともに懸賞の応募に用いられる識別データとを有する販促情報公開部と、
前記シークレットデータおよび前記識別データを前記懸賞の応募情報として前記通信回線を介してホストコンピュータへ送信する端末部と、
所定の懸賞応募期間の経過前に前記応募情報が受信され且つ前記応募情報が有効であると判定された場合に、前記通信回線を介して前記端末部に懸賞情報を送信する前記ホストコンピュータとから構成される、販売促進装置。
【手続補正３】
【補正対象書類名】明細書
【補正対象項目名】０００１
【補正方法】変更
【補正の内容】
【０００１】
本発明は、文字、画像、音声等の情報を収容した販促媒体を用いた販売促進システムおよび販売促進装置に関し、特に、販売促進の対象が実際にユーザーによって試供されたか否かを知ることができ、その試供の程度を確認できるとともに、販売促進性を高めることができる販売促進システムおよび販売促進装置に関する。
【手続補正４】
【補正対象書類名】明細書
【補正対象項目名】００１０
【補正方法】変更
【補正の内容】
【００１０】
本発明は、上記の目的を達成するため、配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体をユーザーに提供する販促媒体提供過程と、前記ユーザーの操作により前記シークレットデータおよび前記識別データを前記懸賞の応募情報として端末部から通信回線を介してホストコンピュータへ送信する応募情報送信過程と、ホストコンピュータにおいて所定の懸賞応募期間の経過前に前記応募情報が受信され且つ前記応募情報が有効であると判定された場合に、前記通信回線を介して前記端末部に懸賞情報を送信する懸賞情報送信過程とから構成される、販売促進システムを提供する。
【手続補正５】
【補正対象書類名】明細書
【補正対象項目名】００１４
【補正方法】変更
【補正の内容】
【００１４】
また、本発明は、上記の目的を達成するため、配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体と、前記シークレットデータおよび前記識別データを前記懸賞の応募情報として通信回線を介してホストコンピュータへ送信する端末部と、所定の懸賞応募期間の経過前に前記応募情報が受信され且つ前記応募情報が有効であると判定された場合に、前記通信回線を介して前記端末部に懸賞情報を送信する前記ホストコンピュータとから構成される販売促進装置を提供する。
【手続補正６】
【補正対象書類名】明細書
【補正対象項目名】００１７
【補正方法】変更
【補正の内容】
【００１７】
また、本発明は、上記の目的を達成するため、通信回線を介して入手可能に設けられる販促情報を再生することによって認知されるシークレットデータと、前記販促情報を識別し、前記シークレットデータとともに懸賞の応募に用いられる識別データとを有する販促情報公開部と、前記シークレットデータおよび前記識別データを前記懸賞の応募情報として前記通信回線を介してホストコンピュータへ送信する端末部と、所定の懸賞応募期間の経過前に前記応募情報が受信され且つ前記応募情報が有効であると判定された場合に、前記通信回線を介して前記端末部に懸賞情報を送信する前記ホストコンピュータとから構成される販売促進装置を提供する。
【手続補正７】
【補正対象書類名】明細書
【補正対象項目名】００１８
【補正方法】変更
【補正の内容】
【００１８】
本発明の販売促進システムによれば、配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体をユーザーに提供する販促媒体提供過程と、前記ユーザーの操作により前記シークレットデータおよび前記識別データを前記懸賞の応募情報として端末部から通信回線を介してホストコンピュータへ送信する応募情報送信過程と、ホストコンピュータにおいて所定の懸賞応募期間の経過前に前記応募情報が受信され且つ前記応募情報が有効であると判定された場合に、前記通信回線を介して前記端末部に懸賞情報を送信する懸賞情報送信過程とから構成されるようにしたため、多くのユーザーに販促対象の試供を喚起させることができ、ユーザーは試供に基づいて付加価値を得ることができる。
【手続補正８】
【補正対象書類名】明細書
【補正対象項目名】００１９
【補正方法】変更
【補正の内容】
【００１９】
また、本発明の販売促進装置によれば、配布可能な記録体であって販促情報を記録するとともに、前記販促情報を再生することによって認知されるシークレットデータと、前記記録体を識別し、前記シークレットデータとともに懸賞の応募に用いられる識別データとを有する販促媒体と、前記シークレットデータおよび前記識別データを前記懸賞の応募情報として通信回線を介してホストコンピュータへ送信する端末部と、所定の懸賞応募期間の経過前に前記応募情報が受信され且つ前記応募情報が有効であると判定された場合に、前記通信回線を介して前記端末部に懸賞情報を送信する前記ホストコンピュータとから構成されるようにしたため、販促対象が実際にユーザーによって試供されたか否かを知ることができ、また、その試供の程度を確認することができ、かつ、販促性を高めることができる。
【手続補正９】
【補正対象書類名】明細書
【補正対象項目名】００２０
【補正方法】変更
【補正の内容】
【００２０】
また、本発明の販売促進装置によれば、通信回線を介して入手可能に設けられる販促情報を再生することによって認知されるシークレットデータと、前記販促情報を識別し、前記シークレットデータとともに懸賞の応募に用いられる識別データとを有する販促情報公開部と、前記シークレットデータおよび前記識別データを前記懸賞の応募情報として前記通信回線を介してホストコンピュータへ送信する端末部と、所定の懸賞応募期間の経過前に前記応募情報が受信され且つ前記応募情報が有効であると判定された場合に、前記通信回線を介して前記端末部に懸賞情報を送信する前記ホストコンピュータとから構成されるようにしたため、販促対象が実際にユーザーによって試供されたか否かを知ることができ、また、その試供の程度を確認することができ、かつ、販促性を高めることができる。
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
商品としての楽曲等の商品用データと、この商品用データ中に挿入されたシークレットデータとを複数の記録媒体に記録する記録過程と、
前記シークレットデータと前記複数の記録媒体に付される個別の識別データとをホストコンピュータに格納する格納過程と、
前記個別の識別データを付された前記複数の記録媒体を複数の第３者に配布する配布過程と、
前記複数の記録媒体中の前記商品用データと前記シークレットデータを前記複数の第３者の中の複数の再生者によって再生する再生過程と、
前記複数の再生者の中の複数の送信者のそれぞれの端末部から前記シークレットデータおよび前記識別データを応募情報として通信回線を介して前記ホストコンピュータへそれぞれ送信する応募過程と、
前記ホストコンピュータにおいて前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信する懸賞過程とから構成されることを特徴とする商品用データ再生促進方法。
【請求項２】
前記懸賞過程は、ホストコンピュータにおいて、前記応募情報が適切であると判定された場合に、前記商品用データについての質問項目を前記端末部に送信し、前記質問項目について正解が得られた場合にのみ、前記通信回線を介して前記端末部に前記懸賞情報を送信するように実行される、請求項１に記載の商品用データ再生促進方法。
【請求項３】
前記懸賞過程は、前記ホストコンピュータにおいて所定の懸賞応募期間の経過前に前記応募情報が受信されていると判定された場合にのみ、前記適切な前記応募情報を送信した送信者の端末部に前記通信回線を介して前記懸賞情報を送信するように実行される、請求項１に記載の商品用データ再生促進方法。
【請求項４】
前記シークレットデータは、前記記録媒体に記録された複数の前記商品用データに個々に付与されている要素を結合することにより構成される、請求項１に記載の商品用データ再生促進方法。
【請求項５】
商品としての楽曲等の商品用データと、この商品用データ中に挿入されたシークレットデータとが記録される複数の記録媒体と、
前記シークレットデータと前記複数の記録媒体に付される個別の識別データとを格納するホストコンピュータと、
通信回線を介して前記ホストコンピュータに接続される端末部を備え、
前記個別の識別データを付された前記複数の記録媒体を配布された複数の第３者であって、前記複数の記録媒体中の前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、
前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信することを特徴とする商品用データ再生促進システム。
【請求項６】
前記ホストコンピュータは、前記懸賞情報の応募期間データを格納した期間情報記憶部と、
前記商品用データについての複数の質問事項を記憶した質問項目記憶部と、
前記応募期間データに基づいて懸賞応募期間中に前記懸賞情報の応募があったとき、前記質問項目記憶部から前記応募情報に基づいてランダムに少なくとも１つの質問を抽出する制御部とを有し、
前記ホストコンピュータは、前記抽出された質問項目を前記端末部に送信し、前記質問項目について正解が得られたときに前記通信回線を介して前記端末部に前記懸賞情報を送信する、請求項５に記載の商品用データ再生促進システム。
【請求項７】
前記ホストコンピュータは、前記質問項目について正解の回答があったとき、前記懸賞情報として前記端末部に金券相当のクーポンデータを送信する、請求項６に記載の商品用データ再生促進システム。
【請求項８】
通信回線を介して入手可能に設けられる、商品としての楽曲等の商品用データと、この商品用データ中に挿入されたシークレットデータと、前記商品用データを識別する識別データとを有する商品用データ公開部と、
前記シークレットデータと前記識別データとを格納するホストコンピュータと、
通信回線を介して前記ホストコンピュータに接続される端末部を備え、
前記識別データを有する前記商品用データを入手した複数の第３者であって、前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、
前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信することを特徴とする商品用データ再生促進システム。
【手続補正３】
【補正対象書類名】明細書
【補正対象項目名】０００１
【補正方法】変更
【補正の内容】
【０００１】
本発明は、文字、画像、音声等の情報を収容した記録媒体等を用いた商品用データ再生促進方法および商品用データ再生促進システムに関し、特に、販売促進の対象が実際にユーザーによって試供されたか否かを知ることができ、その試供の程度を確認できるとともに、販売促進性を高めることができる商品用データ再生促進方法および商品用データ再生促進システムに関する。
【手続補正４】
【補正対象書類名】明細書
【補正対象項目名】００１０
【補正方法】変更
【補正の内容】
【００１０】
本発明は、上記の目的を達成するため、商品としての楽曲等の商品用データと、この商品用データ中に挿入されたシークレットデータとを複数の記録媒体に記録する記録過程と、前記シークレットデータと前記複数の記録媒体に付される個別の識別データとをホストコンピュータに格納する格納過程と、前記個別の識別データを付された前記複数の記録媒体を複数の第３者に配布する配布過程と、前記複数の記録媒体中の前記商品用データと前記シークレットデータを前記複数の第３者の中の複数の再生者によって再生する再生過程と、前記複数の再生者の中の複数の送信者のそれぞれの端末部から前記シークレットデータおよび前記識別データを応募情報として通信回線を介して前記ホストコンピュータへそれぞれ送信する応募過程と、前記ホストコンピュータにおいて前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信する懸賞過程とから構成されることを特徴とする商品用データ再生促進方法を提供する。
【手続補正５】
【補正対象書類名】明細書
【補正対象項目名】００１４
【補正方法】変更
【補正の内容】
【００１４】
また、本発明は、上記の目的を達成するため、商品としての楽曲等の商品用データと、この商品用データ中に挿入されたシークレットデータとが記録される複数の記録媒体と、前記シークレットデータと前記複数の記録媒体に付される個別の識別データとを格納するホストコンピュータと、通信回線を介して前記ホストコンピュータに接続される端末部を備え、前記個別の識別データを付された前記複数の記録媒体を配布された複数の第３者であって、前記複数の記録媒体中の前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信することを特徴とする商品用データ再生促進システムを提供する。
【手続補正６】
【補正対象書類名】明細書
【補正対象項目名】００１７
【補正方法】変更
【補正の内容】
【００１７】
また、本発明は、上記の目的を達成するため、通信回線を介して入手可能に設けられる、商品としての楽曲等の商品用データと、この商品用データ中に挿入されたシークレットデータと、前記商品用データを識別する識別データとを有する商品用データ公開部と、前記シークレットデータと前記識別データとを格納するホストコンピュータと、通信回線を介して前記ホストコンピュータに接続される端末部を備え、前記識別データを有する前記商品用データを入手した複数の第３者であって、前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信することを特徴とする商品用データ再生促進システムを提供する。
【手続補正７】
【補正対象書類名】明細書
【補正対象項目名】００１８
【補正方法】変更
【補正の内容】
【００１８】
本発明の商品用データ再生促進方法によれば、商品としての楽曲等の商品用データと、この商品用データ中に挿入されたシークレットデータとを複数の記録媒体に記録する記録過程と、前記シークレットデータと前記複数の記録媒体に付される個別の識別データとをホストコンピュータに格納する格納過程と、前記個別の識別データを付された前記複数の記録媒体を複数の第３者に配布する配布過程と、前記複数の記録媒体中の前記商品用データと前記シークレットデータを前記複数の第３者の中の複数の再生者によって再生する再生過程と、前記複数の再生者の中の複数の送信者のそれぞれの端末部から前記シークレットデータおよび前記識別データを応募情報として通信回線を介して前記ホストコンピュータへそれぞれ送信する応募過程と、前記ホストコンピュータにおいて前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信する懸賞過程とから構成されるようにしたため、多くのユーザーに販促対象の試供を喚起させることができ、ユーザーは試供に基づいて付加価値を得ることができる。
【手続補正８】
【補正対象書類名】明細書
【補正対象項目名】００１９
【補正方法】変更
【補正の内容】
【００１９】
また、本発明の商品用データ再生促進システムによれば、商品としての楽曲等の商品用データと、この商品用データ中に挿入されたシークレットデータとが記録される複数の記録媒体と、前記シークレットデータと前記複数の記録媒体に付される個別の識別データとを格納するホストコンピュータと、通信回線を介して前記ホストコンピュータに接続される端末部を備え、前記個別の識別データを付された前記複数の記録媒体を配布された複数の第３者であって、前記複数の記録媒体中の前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信するようにしたため、販促対象が実際にユーザーによって試供されたか否かを知ることができ、また、その試供の程度を確認することができ、かつ、販促性を高めることができる。
【手続補正９】
【補正対象書類名】明細書
【補正対象項目名】００２０
【補正方法】変更
【補正の内容】
【００２０】
また、本発明の商品用データ再生促進システムによれば、通信回線を介して入手可能に設けられる、商品としての楽曲等の商品用データと、この商品用データ中に挿入されたシークレットデータと、前記商品用データを識別する識別データとを有する商品用データ公開部と、前記シークレットデータと前記識別データとを格納するホストコンピュータと、通信回線を介して前記ホストコンピュータに接続される端末部を備え、前記識別データを有する前記商品用データを入手した複数の第３者であって、前記商品用データと前記シークレットデータを再生する複数の再生者のうち、複数の送信者が、前記シークレットデータおよび前記識別データを応募情報として前記端末部から前記通信回線を介して前記ホストコンピュータへそれぞれ送信し、前記ホストコンピュータが、前記応募情報を格納するとともに前記応募情報の適否を判断し、前記応募情報が適切であるときは前記複数の送信者の中の適切な前記応募情報を送信した送信者の前記端末部に前記通信回線を介して懸賞情報を送信するようにしたため、販促対象が実際にユーザーによって試供されたか否かを知ることができ、また、その試供の程度を確認することができ、かつ、販促性を高めることができる。